(57)【特許請求の範囲】
【請求項１】
車両後部における車室内の床面を形成するフロア部材と、
該フロア部材に載置固定される座席と、
略帯状のベルト本体を有するシートベルトとを備え、
前記ベルト本体の一端に連結したベルトアンカを、所定の締結部材を用いて前記フロア部材に固定した車両の後部車体構造であって、
前記ベルトアンカが、
前記座席における座面部の側部近傍と車両上下方向で重合する前記フロア部材に対して、前記所定の締結部材によって固定されるとともに、前記所定の締結部材が挿通する挿通孔を有する固定部と、
該固定部から車幅方向外側へ延設するとともに、前記ベルト本体の一端が連結したベルト連結部と、
前記固定部から車幅方向内側へ延設した延設部とを備えるとともに、
平面視において、前記ベルト連結部と前記ベルト本体との接触箇所から前記挿通孔の中心までの間隔に対して、前記挿通孔の中心から前記延設部の先端までの間隔が同等以上になるように形成され、
前記フロア部材に、
前記ベルトアンカよりも車両後方側で前記延設部に近接するとともに、前記ベルトアンカの肉厚よりも高い突出高さで、前記延設部の後端に沿って車両上方へ突設した後方突起部を備え、
前記ベルトアンカの前記延設部が、
車両前後方向の長さが車幅方向外側よりも車幅方向内側が短い平面視略三角形状、または平面視略台形状に形成され、
前記フロア部材の前記後方突起部が、
車両前後方向の長さが車幅方向外側よりも車幅方向内側が長く、かつ前記延設部における車幅方向内側の端部と略同じ車幅方向の位置において、略車両前後方向に延びる縁部を有する平面視略三角形状、または平面視略台形状に形成された
車両の後部車体構造。
【請求項２】
前記フロア部材に、
前記ベルトアンカを固定した状態において、前記ベルトアンカよりも車両前方側で、前記延設部に近接するとともに、前記ベルトアンカの前端に沿って車両上方へ突設した前方突起部を備えた
請求項１に記載の車両の後部車体構造。
【請求項３】
前記ベルトアンカが締結される前記フロア部材の下面に、前記後方突起部とで閉断面をなすレインフォースメントを備え、
該レインフォースメントが、
前記後方突起部に対して車両後方に僅かにオフセットするとともに、車両下方へ凹設された凹部を備えた
請求項１または請求項２に記載の車両の後部車体構造。
【発明の詳細な説明】
【技術分野】
【０００１】
この発明は、例えば、自動車などの車両の後席において、乗員を保護するシートベルトのベルトアンカが、車室内の床面を形成するフロア部材に固定されたような車両の後部車体構造に関する。
【背景技術】
【０００２】
自動車などの車両の後席には、着座した乗員の安全を確保する安全装置として、乗員の身体に装着するシートベルトが設けられている。  
このようなシートベルトとしては、車体側部材に固定したリトラクタ（巻取り装置）、及びベルトアンカに両端が連結された略帯状のベルト本体を、ベルト本体に設けたタングを介して、車体側部材に固定したバックルに係合する３点式シートベルトなどが知られている。
【０００３】
例えば、特許文献１には、車室内の側面を構成する車体側部材（車体側板３）に対して、ボルト及びナットからなる締結金具６を用いて、ベルトアンカ（アンカ板２）が固定されたベルト本体（シートベルト２）が開示されている。
【０００４】
この特許文献１のベルトアンカは、一端に締結金具６が挿通する開口を有し、他端にベルト本体を連結した構成のため、車体側部材に固定する際、締結金具６の締付け方向にベルトアンカがつれ回りするおそれがある。
【０００５】
そこで、特許文献１では、ベルトアンカにおけるベルト本体側の部分と当接する回り止め部材（トリムカバーブラケット１０）を、車両右側ではベルトアンカよりも車両後方側の車体側部材に、車両左側ではベルトアンカよりも車両前方側の車体側部材に固定している。これにより、特許文献１では、締結金具６で締め付ける際のベルトアンカのつれ回りを防止している。
【０００６】
ところで、上述したようなシートベルトは、例えば、車両が衝突物に衝突すると、リトラクタがベルト本体を巻き上げて、ベルト本体の張力を増加させることで、乗員の身体を拘束して、乗員が座席外に投げ出されることを阻止している。
【０００７】
この際、ベルトアンカには、ベルト本体を介して、乗員の体重、及び慣性力が車両前方上方への引張荷重として加わることになる。このため、例えば、特許文献１の車両右側では、車両前方上方への引張荷重によって、締結金具６を回転中心として、ベルトアンカが車両前方側へ回動して、ベルト本体の張力が一瞬低下するおそれがあった。
【０００８】
そこで、例えば、特許文献１の車両右側において、ベルトアンカの車両前方側にも回り止め部材を配置した場合、ベルト本体を介した車両前方上方への引張荷重によるベルトアンカの回動を規制することができる。
【０００９】
しかしながら、複数の回り止め部材とベルトアンカによって、ベルトアンカの回動を規制する構造が大型化するだけでなく、ベルトアンカ、及び回り止め部材を覆うトリムカバーも、その形状が大きくなり易い。このため、特許文献１では、車幅方向における長さが限られた車室内において、車幅方向における座席の長さが制限され、居住性が低下するという問題があった。
【先行技術文献】
【特許文献】
【００１０】
【特許文献１】実公平７−２８０４３号公報
【発明の概要】
【発明が解決しようとする課題】
【００１１】
本発明は、上述の問題に鑑み、座席の拡幅による居住性の向上と、車両前方上方への引張荷重によるベルトアンカの回動規制とを両立して達成できる車両の後部車体構造を提供することを目的とする。
【課題を解決するための手段】
【００１２】
この発明は、車両後部における車室内の床面を形成するフロア部材と、該フロア部材に載置固定される座席と、略帯状のベルト本体を有するシートベルトとを備え、前記ベルト本体の一端に連結したベルトアンカを、所定の締結部材を用いて前記フロア部材に固定した車両の後部車体構造であって、前記ベルトアンカが、前記座席における座面部の側部近傍と車両上下方向で重合する前記フロア部材に対して、前記所定の締結部材によって固定されるとともに、前記所定の締結部材が挿通する挿通孔を有する固定部と、該固定部から車幅方向外側へ延設するとともに、前記ベルト本体の一端が連結したベルト連結部と、前記固定部から車幅方向内側へ延設した延設部とを備えるとともに、平面視において、前記ベルト連結部と前記ベルト本体との接触箇所から前記挿通孔の中心までの間隔に対して、前記挿通孔の中心から前記延設部の先端までの間隔が同等以上になるように形成され、前記フロア部材に、前記ベルトアンカよりも車両後方側で前記延設部に近接するとともに、前記ベルトアンカの肉厚よりも高い突出高さで、前記延設部の後端に沿って車両上方へ突設した後方突起部を備え、前記ベルトアンカの前記延設部が、車両前後方向の長さが車幅方向外側よりも車幅方向内側が短い平面視略三角形状、または平面視略台形状に形成され、前記フロア部材の前記後方突起部が、車両前後方向の長さが車幅方向外側よりも車幅方向内側が長く、かつ前記延設部における車幅方向内側の端部と略同じ車幅方向の位置において、略車両前後方向に延びる縁部を有する平面視略三角形状、または平面視略台形状に形成されたことを特徴とする。
【００１３】
上記所定の締結部材は、フロア部材に溶着したウェルドナットに螺合するボルト、フロア部材に設けたスタッドボルトに螺合するナット、あるいはボルト及びナットなどとすることができる。  
上記延設部は、車幅方向において、その先端と所定の締結部材との間隔が、ベルト連結部におけるベルト本体が連結する部分から所定の締結部材までの間隔と略同等の形状、より好ましくは、ベルト本体が連結する部分から所定の締結部材までの間隔よりも長い形状とすることができる。  
上記後方突部は、平面視略三角形、平面視略台形、あるいは平面視略矩形の形状とすることができる。
【００１４】
この発明により、座席の拡幅による居住性の向上と、車両前方上方への引張荷重によるベルトアンカの回動規制とを両立して達成することができる。  
具体的には、ベルト連結部を固定部から車幅方向外側に延設して形成しているため、車両の後部車体構造は、座席の座面部と車両上下方向で重合した場合でも、座面部の側部からベルト本体を容易に導出することができる。
【００１５】
さらに、座面部の側部からベルト本体を導出できるため、例えば、座面部に設けたスリットを介してベルト本体を導出する場合に比べて、車両の後部車体構造は、スリットを不要にでき、座面部の見栄えを損なうことがない。
【００１６】
加えて、例えば、平面視において、座面部における側部の形状に沿うようにベルト連結部を延設することで、車両の後部車体構造は、ベルト本体が座面部の側部と摺動することをより抑制できる。
【００１７】
このため、車両の後部車体構造は、座席を拡幅した場合であっても、座面部とベルト本体との摺動によって、座面部が損傷することを防止できる。  
これにより、車両の後部車体構造は、見栄えを損なうことなく、座面部の拡幅を容易にすることができる。
【００１８】
そして、固定部から車幅方向外側にベルト連結部を延設しているため、例えば、衝突物に車両が衝突した際、ベルト本体を介した車両前方上方への引張荷重がベルト連結部に作用すると、ベルトアンカは、所定の締結部材を回転中心として回動しようとする。
【００１９】
そこで、固定部から車幅方向内側へ延設した延設部と、ベルトアンカよりも車両後方に位置する後方突起部とを備えたことで、車両の後部車体構造は、所定の締結部材を回転中心としたベルトアンカの回動、より具体的には車両後方側への延設部の回動を、後方突起部によって規制することができる。  
さらに、車両の後部車体構造は、車両前方上方への引張荷重がベルト連結部に作用した際、後方突起部に延設部が乗り上げることを防止できる。
【００２０】
詳述すると、例えば、車幅方向の一端にベルト連結部を有し、他端に固定部を有するとともに、ベルト連結部と固定部との間が車体側に設けた回り止め部に当接する構成の場合、車両前方上方への引張荷重がベルト連結部に作用した際、固定部を起点として、ベルト連結部と固定部との間が車両前方上方へ変形するおそれがある。このため、ベルトアンカにおけるベルト連結部と固定部の間が車体側の回り止め部に乗り上げて、ベルトアンカが車両前方へ回動するおそれがあった。
【００２１】
これに対して、ベルト連結部、固定部、延設部の順で車幅方向の外側から一体形成しているため、車両前方上方への引張荷重がベルト連結部に作用した際、車両の後部車体構造は、車両前方上方への引張荷重を、所定の締結部材を介してフロア部材に伝達させることができる。このため、車両の後部車体構造は、車両前方上方への引張荷重による延設部の変形を抑制でき、後方突起部に延設部が乗り上げることを防止できる。
【００２２】
これにより、例えば、衝突物に車両が衝突した際、ベルト本体を介した車両前方上方への引張荷重がベルト連結部に作用しても、車両の後部車体構造は、車両後方側への延設部の回動を確実に規制することができる。このため、車両の後部車体構造は、衝突物に車両が衝突した際、ベルト本体による乗員の拘束が一瞬弱まること確実に防止できる。
【００２３】
加えて、フロア部材を車両上方へ突設して後方突起部を形成しているため、車両の後部車体構造は、ベルトアンカの回り止めを別体で構成した場合に比べて、軽量な構成でベルトアンカの回動を規制することができる。  
従って、車両の後部車体構造は、座席の拡幅による居住性の向上と、車両前方上方への引張荷重によるベルトアンカの回動規制とを両立して達成することができる。
【００２４】
さらに、この発明は、前記ベルトアンカの前記延設部を、車両前後方向の長さが車幅方向外側よりも車幅方向内側が短い平面視略三角形状、または平面視略台形状に形成し、前記フロア部材の前記後方突起部を、車両前後方向の長さが車幅方向外側よりも車幅方向内側が長い平面視略三角形状、または平面視略台形状に形成したこと特徴とする。
【００２５】
この発明により、車両の後部車体構造は、ベルトアンカ及び後方突起部の小型化を図るとともに、ベルトアンカの回動をより確実に規制することができる。  
具体的には、車両前後方向の長さが車幅方向外側よりも車幅方向内側が短い平面視略三角形状、または平面視略台形状に延設部を形成したことにより、車両の後部車体構造は、平面視略矩形の延設部に比べて、ベルトアンカの小型化、及び軽量化を図ることができる。
【００２６】
さらに、例えば、ベルトアンカの延設部が平面視略矩形で、後方突起部が平面視略矩形の場合、車両前後方向において、ベルトアンカ、及び後方突起部が占める長さが長くなり易い。
【００２７】
これに対して、ベルトアンカの延設部が平面視略三角形で、後方突起部が平面視略三角形の場合、延設部の頂部と後方突起部の頂部とが、車幅方向で互い違いになるように、ベルトアンカと後方突起部とが配置されるため、車両の後部車体構造は、車両前後方向において、ベルトアンカ、及び後方突起部が占める長さを短くすることができる。
【００２８】
加えて、車幅方向内側の端部における車両前後方向の長さを長く確保し易いため、後方突起部は、例えば、車幅方向に長い略線状の後方突起部に比べて、車幅方向内側の端部における車両前後方向の剛性を容易に向上することができる。  
これにより、車両の後部車体構造は、車両前方上方への引張荷重がベルト連結部に作用した際、延設部による押圧、特に延設部の先端による押圧によって後方突起部が変形することを防止できる。
【００２９】
従って、車両の後部車体構造は、平面視略三角形状、または平面視略台形状に延設部と、平面視略三角形状、または平面視略台形状の後方突起部とにより、ベルトアンカ及び後方突起部の小型化を図るとともに、ベルトアンカの回動をより確実に規制することができる。
【００３０】
またこの発明の態様として、前記フロア部材に、前記ベルトアンカを固定した状態において、前記ベルトアンカよりも車両前方側で、前記延設部に近接するとともに、前記ベルトアンカの前端に沿って車両上方へ突設した前方突起部を備えることができる。  
上記前方突起部は、ベルトアンカの前端に沿って車幅方向に延びる略線状のビードなどとすることができる。
【００３１】
この発明により、車両の後部車体構造は、フロア部材に締結する際のベルトアンカのつれ回り防止と、ベルト本体を介した引張荷重によるベルトアンカの回動規制とを両立して達成することができる。  
具体的には、ベルトアンカよりも車両前方側に突設したことで、前方突起部は、所定の締結部材を回転中心とした平面視時計回り方向へのベルトアンカの回動を規制することができる。
【００３２】
このため、所定の締結部材を締め付けた際、車両の後部車体構造は、所定の締結部材の締付けに伴うベルトアンカのつれ回りを、前方突起部によって防止することができる。この際、ベルトアンカに加わる荷重は、衝突物に車両が衝突した際にベルトアンカに加わる荷重に比べて大幅に小さい荷重となる。
【００３３】
ゆえに、車両の後部車体構造は、車両前後方向の長さを抑制した形状で、前方突起部を構成することができる。これにより、車両の後部車体構造は、車両前後方向において、ベルトアンカ、後方突起部、及び前方突起部が占める長さを抑制することができる。
【００３４】
加えて、固定されたベルトアンカに対して、後方突起部、及び前方突起部が近接するため、後方突起部、及び前方突起部は、フロア部材に対するベルト本体の位置決め手段として機能することができる。
【００３５】
従って、車両の後部車体構造は、前方突起部によって、フロア部材に締結する際のベルトアンカのつれ回り防止と、ベルト本体を介した引張荷重によるベルトアンカの回動規制とを両立して達成することができる。
【００３６】
またこの発明の態様として、前記ベルトアンカが締結される前記フロア部材の下面に、前記後方突起部とで閉断面をなすレインフォースメントを備え、該レインフォースメントが、前記後方突起部に対して車両後方に僅かにオフセットするとともに、車両下方へ凹設された凹部を備えてもよい。 
この発明により、車両の後部車体構造は、フロア部材の剛性、及び後方突起部の剛性を向上することができる。
【発明の効果】
【００３７】
本発明により、座席の拡幅による居住性の向上と、車両前方上方への引張荷重によるベルトアンカの回動規制とを両立して達成できる車両の後部車体構造を提供することができる。
【図面の簡単な説明】
【００３８】
【図１】車両後部における車室側からの外観を示す外観斜視図。
【図２】後部座席を取外した状態の外観を示す外観斜視図。
【図３】車両後部の平面視を示す平面図。
【図４】ベルトアンカ近傍の外観を示す要部外観斜視図。
【図５】ベルトアンカ近傍の平面視を示す要部平面図。
【図６】図５中のＡ−Ａ矢視断面図。
【図７】図５中のＢ−Ｂ矢視断面図。
【図８】図５中のＣ−Ｃ矢視断面図。
【発明を実施するための形態】
【００３９】
この発明の一実施形態を以下図面と共に説明する。  
なお、図１は車両後部１における車室Ｓ１側からの外観斜視図を示し、図２は後部座席１０を取外した状態の外観斜視図を示し、図３は車両後部１の平面図を示し、図４はベルトアンカ２３近傍の要部外観斜視図を示し、図５はベルトアンカ２３近傍の要部平面図を示し、図６は図５中のＡ−Ａ矢視断面図を示し、図７は図５中のＢ−Ｂ矢視断面図を示し、図８は図５中のＣ−Ｃ矢視断面図を示している。
【００４０】
また、本実施形態における車両後部１は、左右対称構造のため、車両左側の図示を省略している。さらに、図３中において、要部の図示を明確にするため、後部座席１０の座面部１１を二点鎖線で示している。
【００４１】
また、図中において、矢印Ｆｒ及びＲｒは車両前後方向を示しており、矢印Ｆｒは車両前方を示し、矢印Ｒｒは車両後方を示している。さらに、矢印Ｒｈ及びＬｈは車幅方向を示しており、矢印Ｒｈは車両右方向を示し、矢印Ｌｈは車両左方向を示している。加えて、図中の上方を車両上方とし、図中の下方を車両下方とする。
【００４２】
まず、本実施形態における車両後部１について、図１及び図２を用いて詳しく説明する。なお、車両右側における車両後部１と、車両左側における車両後部１とは左右対象の構造ため、本実施形態では、車両右側における車両後部１について説明する。
【００４３】
車両後部１の車体構造は、図１及び図２に示すように、後輪（図示省略）が収容される左右一対のリヤホイールハウス２と、車両上部において車両前後方向に延びる左右一対のルーフレール３と、リヤホイールハウス２、及びルーフレール３の間において車両後部１の側面を形成する左右一対の車体後方側部４と、リヤホイールハウス２の車両前方下部から車両前方へ延設した左右一対のサイドシル５と、サイドシル５よりも車幅方向内側において車両前後方向に延びるサイドフレーム６と、左右一対のサイドシル５の間に配設されるフロアパネル７と、左右一対のルーフレール３を車幅方向で連結するルーフパネル（図示省略）とで構成している。
【００４４】
そして、上述した左右一対のリヤホイールハウス２と、左右一対のルーフレール３と、左右一対のサイドシル５と、左右一対の車体後方側部４と、フロアパネル７と、ルーフパネルとで囲われた車両後部１の空間を、乗員が乗り込む車室Ｓ１として構成している。
【００４５】
ルーフレール３は、図１及び図２に示すように、車両の外観意匠面となるルーフレールアウタ３ａと、ルーフレールアウタ３ａよりも車幅方向内側に配設されるルーフレールインナ３ｂとを接合して一体的に構成している。
【００４６】
車体後方側部４は、図１及び図２に示すように、車両後部１において、乗員が乗降する乗降口Ｓ２よりも車両後方の車体側面部分であって、Ｃピラー部４ａ、Ｄピラー部４ｂ、及び車両の外観意匠面であるアウタパネル４ｃなどで構成されている。  
なお、アウタパネル４ｃは、車幅方向外側からサイドシル５を一体的に覆うように、前方下部を車両前方へ延設して形成している。
【００４７】
サイドシル５は、図１及び図２に示すように、車幅方向における断面が、略矩形の閉断面形状に形成している。具体的には、サイドシル５は、車幅方向外側に配設されるサイドシルアウタ５ａと、サイドシルアウタに対して車幅方向内側に配置されるサイドシルインナ５ｂとを、車幅方向で接合して一体的に構成している。
【００４８】
サイドシルアウタ５ａは、車幅方向における断面形状が、車幅方向外側に向けて突出した断面略ハット状に形成している。  
サイドシルインナ５ｂは、車幅方向における断面形状が車幅方向内側に向けて突出した断面略ハット状に形成している。
【００４９】
サイドフレーム６は、図１及び図２に示すように、サイドシル５に沿って車両前後方向へ延設したフロアサイドフレーム６ａと、リヤホイールハウス２に沿ってフロアサイドフレーム６ａから車両後方へ延設したリヤサイドフレーム６ｂとで構成している。
【００５０】
さらに、左右一対のサイドフレーム６は、リヤホイールハウス２における車両前後方向の略中央近傍において、車幅方向に延びるクロスメンバ８で連結している。  
なお、本実施形態では、フロアサイドフレーム６ａ、及びリヤサイドフレーム６ｂをサイドフレーム６として説明する。
【００５１】
詳述すると、サイドフレーム６は、車両上方側が開口した断面略コ字状のフレーム本体６１と、フレーム本体６１の開口を閉塞するフロアサイドパネル６２とを、サイドシル５及びリヤホイールハウス２に接合して、車幅方向に沿った断面が閉断面形状となるように一体的に構成している。
【００５２】
フレーム本体６１は、詳細な図示を省略するが、車幅方向内側におけるサイドシル５の側面、及びリヤホイールハウス２の側面に接合される接合部分と、接合部分の下端から車幅方向外側へ延設した下面部分と、下面部分の先端から車両上方へ立設した内側面部分と、内側面部分の上端から車幅方向外側へ延設したフランジ部分とで一体形成している。
【００５３】
フロアサイドパネル６２は、車両前方から延設した略平板状の前方部分６２ａと、リヤホイールハウス２の車両前方において、前方部分６２ａの後端から車両後方上方へ向けて延設するとともに、リヤホイールハウス２の前端に接合する傾斜部分６２ｂと、傾斜部分６２ｂから車両後方へ延設した略平板状の後方部分６２ｃと、傾斜部分６２ｂ、及び後方部分６２ｃの車幅方向内側の端部から車両下方へ延設した内壁部分６２ｄとで一体形成している。
【００５４】
さらに、フロアサイドパネル６２は、車幅方向外側がサイドシルインナ５ｂの上面に接合し、車幅方向内側がフロアパネル７に接合可能な車幅方向の長さを有する形状に形成している。つまり、フロアサイドパネル６２は、フロアパネル７とで、車室Ｓ１における床面を構成している。
【００５５】
このような構成の車両後部１には、図１から図３に示すように、クロスメンバ８よりも車両前方において、フロアパネル７に載置固定されるとともに、乗員が着座する後部座席１０と、着座した乗員に装着されるシートベルト機構２０とを備えている。
【００５６】
後部座席１０は、図１及び図３に示すように、車幅方向に長い座面部１１と、座面部１１に対して前倒、及び後倒可能に支持された左右一対の背もたれ部１２とで構成している。  
座面部１１は、図３に示すように、乗降口Ｓ２近傍に端部が位置する車幅方向の長さを有する形状に形成している。具体的には、座面部１１は、平面視において、左右一対のサイドシル５の間隔と略同等の車幅方向の長さを有する形状に形成している。
【００５７】
背もたれ部１２は、乗員が着座した際、背中が接触する背もたれ本体１３と、頭部が接触するヘッドレスト１４とで構成している。さらに、背もたれ部１２には、ヘッドレスト１４よりも車幅方向外側で、かつ背もたれ本体の上端に、ベルトガイド部１５を装着している。  
このベルトガイド部１５は、後述するシートベルト機構２０のベルト本体２２が挿通するとともに、ベルト本体２２の引き出しと巻き取りとを案内する機能を有している。
【００５８】
シートベルト機構２０は、図２及び図３に示すように、クロスメンバ８よりも車両後方で、車体後方側部４の上部に固定されたリトラクタ２１と、リトラクタ２１から車両前方へ延びる略帯状のベルト本体２２と、ベルト本体２２の先端に連結されるとともに、フロアサイドパネル６２に締結固定されたベルトアンカ２３とで構成している。
【００５９】
リトラクタ２１は、車体後方側部４に対して、ブラケット２４を介して固定されている。このリトラクタ２１は、ベルト本体２２の一端が連結されるとともに、ベルト本体２２を引き出す機能と、ベルト本体２２を巻き取る機能と、衝突が検知された際、ベルト本体２２を巻き取って乗員を拘束するプリテンショナー機能とを有している。
【００６０】
ベルト本体２２は、引張強度に優れた化繊を編み込んで略帯状に形成している。このベルト本体２２には、後部座席１０に固定されたバックル（図示省略）に係合するタング２５を装着している。
【００６１】
ベルトアンカ２３は、所定の厚みを有する平面視略三角形状の金属製板材を折り曲げ加工して形成している。このベルトアンカ２３は、車幅方向内側に頂部が位置するようにして、フロアサイドパネル６２に締結固定している。
【００６２】
詳述すると、ベルトアンカ２３は、図４及び図５に示すように、フロアサイドパネル６２に締結固定される固定部２３１と、フロアサイドパネル６２に締結固定した状態において、固定部２３１から車幅方向外側へ延設するとともに、ベルト本体２２の他端が連結されるベルト連結部２３２と、固定部２３１から車幅方向外側へ延設した延設部２３３とで一体形成している。
【００６３】
固定部２３１には、フロアサイドパネル６２の下面に溶着したウェルドナット６３（図６参照）に螺合するボルト２６が挿通するボルト挿通孔２３１ａ（図６参照）を開口形成している。  
延設部２３３は、フロアサイドパネル６２に締結固定した状態において、車幅方向内側に向けて先細りした形状に形成している。
【００６４】
上述した固定部２３１と延設部２３３とは、図５に示すように、延設部２３３の車幅方向内側を頂部として、頂部から車幅方向外側へ向けて延びる車両前方側の縁部と、頂部から車幅方向外側、かつ車両後方へ延びる車両後方側の縁部とを有する平面視略三角形状に一体形成している。
【００６５】
ベルト連結部２３２は、フロアサイドパネル６２に締結固定した状態において、平面視おける座面部１１の端部形状に沿うように、固定部２３１から車幅方向外側、かつ車両上方へ延設している。さらに、ベルト連結部２３２には、ベルト本体２２が挿通する開口孔２３２ａを開口形成している。
【００６６】
このベルト連結部２３２の開口孔２３２ａに対して、ベルト本体２２を挿通するとともに、環状にしたベルト本体２２を縫い合せることで、ベルトアンカ２３にベルト本体２２を連結している。
【００６７】
なお、ベルトアンカ２３は、平面視において、ベルト連結部２３２とベルト本体２２との接触箇所からボルト挿通孔２３１ａの中心までの間隔に対して、ボルト挿通孔２３１ａの中心から延設部２３３の先端近傍までの間隔が略同等の間隔となるように、延設部２３３、及びベルト連結部２３２を形成している。
【００６８】
このような構成のベルトアンカ２３は、図２及び図３に示すように、平面視において、座面部１１における車幅方向の端部に車両下方で対向するフロアサイドパネル６２の傾斜部分６２ｂに対して締結固定している。
【００６９】
具体的には、ベルトアンカ２３は、ベルト連結部２３２が車幅方向外側に位置し、延設部２３３が車幅方向内側に位置する状態において、固定部２３１のボルト挿通孔２３１ａに挿通したボルト２６を、フロアサイドパネル６２の下面に溶着したウェルドナット６３に螺合することで、傾斜部分６２ｂに固定している。
【００７０】
一方、ベルトアンカ２３が固定される傾斜部分６２ｂには、図４及び図５に示すように、ベルトアンカ２３よりも車両前方で、車両上方へ向けて突設した前方突起部６２１と、ベルトアンカ２３よりも車両後方側で、車両上方へ向けて突設した後方突起部６２２とを形成している。
【００７１】
前方突起部６２１は、図５、図７、及び図８に示すように、傾斜部分６２ｂに締結固定されたベルトアンカ２３に対して車両前方側で近接するとともに、ベルトアンカ２３の肉厚よりも高い突出高さで突設している。
【００７２】
詳述すると、前方突起部６２１は、車幅方向における固定部２３１、及び延設部２３３の長さと略同等の車幅方向の長さで、車幅方向に長い平面視略長楕円状に突設している。さらに、前方突起部６２１における車両後方側の縁部は、固定部２３１、及び延設部２３３における車両前方側の縁部に沿うように突設している。
【００７３】
後方突起部６２２は、図５、図７、及び図８に示すように、傾斜部分６２ｂに締結固定されたベルトアンカ２３に対して車両後方側で近接するとともに、ベルトアンカ２３の肉厚よりも高い突出高さで突設している。さらに、後方突起部６２２は、車幅方向において、ベルトアンカ２３における延設部２３３の頂部と、互い違いになる位置に頂部を有する平面視略三角形状に形成している。
【００７４】
詳述すると、後方突起部６２２は、車幅方向外側に頂部を有するとともに、頂部から車幅方向内側へ延びる車両前方側の縁部が、固定部２３１、及び延設部２３３における車両後方側の縁部に沿うように突設している。
【００７５】
つまり、後方突起部６２２は、車幅方向外側に頂部を有するとともに、車幅方向における固定部２３１、及び延設部２３３の長さと略同等の車幅方向の長さを有する平面視略三角形状に突設している。
【００７６】
なお、後方突起部６２２における車幅方向内側の端部は、図５及び図８に示すように、前方突起部６２１における車幅方向内側の端部に対して、僅かに車幅方向内側に位置するように突設している。
【００７７】
そして、上述した前方突起部６２１、及び後方突起部６２２の車両下方側、すなわち傾斜部分６２ｂの下面には、図５及び図６に示すように、前方突起部６２１、及び後方突起部６２２を一体的に覆うレインフォースメント６４を備えている。
【００７８】
レインフォースメント６４は、車幅方向における断面が、傾斜部分６２ｂ及び内壁部分６２ｄに接合可能な断面略Ｌ字状であって、前方突起部６２１よりも車両前方の位置から、クロスメンバ８の位置までの車両前後方向の長さを有する形状に形成している。
【００７９】
このレインフォースメント６４における前方突起部６２１と対向する部分は、図７及び図８に示すように、車両前後方向に沿った断面において、略平板状に形成している。  
一方、レインフォースメント６４における後方突起部６２２と対向する部分は、図７及び図８に示すように、車両前後方向に沿った断面において、車両下方へ向けて凹設した凹部６４ａを有する形状に形成している。そして、車両前後方向に沿った断面において、凹部６４ａは、後方突起部６２２とで断面閉断面形状を形成している。
【００８０】
なお、レインフォースメント６４の凹部６４ａは、ベルトアンカ２３の延設部２３３を通る車両前後方向の断面において、車両下方への突出深さが、ボルト２６を通る車両前後方向の断面における突出深さよりも深くなるように凹設している。
【００８１】
このようなレインフォースメント６４は、図４及び図５に示すように、車両前後方向に所定間隔を隔てて位置する５つの溶着箇所Ｗ１で、内壁部分６２ｄに対して溶着固定している。さらに、レインフォースメント６４は、車両前後方向に所定間隔を隔てて位置する２つの溶着箇所Ｗ２で、後方突起部６２２よりも車両後方側の傾斜部分６２ｂに対して溶着固定している。
【００８２】
加えて、レインフォースメント６４は、前方突起部６２１の車幅方向略中央よりも車両前方側に位置する１つの溶着箇所Ｗ３、及び前方突起部６２１よりも車幅方向内側で、かつ後方突起部６２２における車幅方向内側の端部よりも車両前方側に位置する１つ溶着箇所Ｗ４で、後方突起部６２２よりも車両前方側の傾斜部分６２ｂに対して溶着固定している。
【００８３】
以上のような構成の車両の後部車体構造は、座面部１１の拡幅による居住性の向上と、車両前方上方への引張荷重によるベルトアンカ２３の回動規制とを両立して達成することができる。  
具体的には、ベルト連結部２３２を固定部２３１から車幅方向外側に延設して形成しているため、車両の後部車体構造は、座面部１１と車両上下方向で重合した場合でも、座面部１１の側部からベルト本体２２を容易に導出することができる。
【００８４】
さらに、座面部１１の側部からベルト本体２２を導出できるため、例えば、座面部１１に設けたスリットを介してベルト本体２２を導出する場合に比べて、車両の後部車体構造は、スリットを不要にでき、座面部１１の見栄えを損なうことがない。
【００８５】
加えて、平面視において、座面部１１における側部の形状に沿うようにベルト連結部２３２を延設しているため、車両の後部車体構造は、ベルト本体２２が座面部１１の側部と摺動することをより抑制できる。
【００８６】
このため、車両の後部車体構造は、座面部１１を拡幅した場合であっても、座面部１１とベルト本体２２との摺動によって、座面部１１が損傷することを防止できる。  
これにより、車両の後部車体構造は、見栄えを損なうことなく、座面部１１の拡幅を容易にすることができる。
【００８７】
そして、固定部２３１から車幅方向外側にベルト連結部２３２を延設しているため、例えば、衝突物に車両が衝突した際、ベルト本体２２を介した車両前方上方への引張荷重がベルト連結部２３２に作用すると、ベルトアンカ２３は、ボルト２６を回転中心として回動しようとする。
【００８８】
そこで、固定部２３１から車幅方向内側へ延設した延設部２３３と、ベルトアンカ２３よりも車両後方に位置する後方突起部６２２とを備えたことで、車両の後部車体構造は、ボルト２６を回転中心としたベルトアンカ２３の回動、より具体的には平面視車両後方側への延設部２３３の回動を、後方突起部６２２によって規制することができる。  
さらに、車両の後部車体構造は、車両前方上方への引張荷重がベルト連結部２３２に作用した際、後方突起部６２２に延設部２３３が乗り上げることを防止できる。
【００８９】
詳述すると、例えば、車幅方向の一端にベルト連結部を有し、他端に固定部を有するとともに、ベルト連結部と固定部との間が車体側に設けた回り止め部に当接する構成の場合、車両前方上方への引張荷重がベルト連結部に作用した際、固定部を起点として、ベルト連結部と固定部との間が車両前方上方へ変形するおそれがある。このため、ベルトアンカにおけるベルト連結部と固定部の間が車体側の回り止め部に乗り上げて、ベルトアンカが車両前方へ回動するおそれがあった。
【００９０】
これに対して、ベルト連結部２３２、固定部２３１、延設部２３３の順で車幅方向の外側から一体形成しているため、車両の後部車体構造は、車両前方上方への引張荷重を、ボルト２６を介して傾斜部分６２ｂに伝達させることができる。このため、車両の後部車体構造は、車両前方上方への引張荷重よる延設部２３３の変形を抑制でき、後方突起部６２２に延設部２３３が乗り上げることを防止できる。
【００９１】
これにより、例えば、衝突物に車両が衝突した際、ベルト本体２２を介した車両前方上方への引張荷重がベルト連結部２３２に作用しても、車両の後部車体構造は、平面視車両後方側への延設部２３３の回動を確実に規制することができる。このため、車両の後部車体構造は、衝突物に車両が衝突した際、ベルト本体２２による乗員の拘束が一瞬弱まること確実に防止できる。
【００９２】
加えて、フロアサイドパネル６２を車両上方へ突設して後方突起部６２２を形成しているため、車両の後部車体構造は、ベルトアンカ２３の回り止めを別体で構成した場合に比べて、軽量な構成でベルトアンカ２３の回動を規制することができる。
【００９３】
従って、車両の後部車体構造は、座面部１１の拡幅による居住性の向上と、車両前方上方への引張荷重によるベルトアンカ２３の回動規制とを両立して達成することができる。
【００９４】
また、車幅方向内側に頂部を有する平面視略三角形状にベルトアンカ２３を形成し、車幅方向外側に頂部を有する平面視略三角形状に後方突起部６２２を形成したことにより、車両の後部車体構造は、ベルトアンカ２３及び後方突起部６２２の小型化を図るとともに、ベルトアンカ２３の回動をより確実に規制することができる。
【００９５】
具体的には、車幅方向内側に頂部を有する平面視略三角形状に延設部２３３を形成したことにより、車両の後部車体構造は、平面視略矩形の延設部に比べて、ベルトアンカ２３の小型化、及び軽量化を図ることができる。
【００９６】
さらに、例えば、ベルトアンカの延設部が平面視略矩形で、後方突起部が平面視略矩形の場合、車両前後方向において、ベルトアンカ、及び後方突起部が占める長さが長くなり易い。
【００９７】
これに対して、延設部２３３の頂部と後方突起部６２２の頂部とが、車幅方向で互い違いになるように、ベルトアンカ２３と後方突起部６２２とが配置されるため、車両の後部車体構造は、車両前後方向において、ベルトアンカ２３、及び後方突起部６２２が占める長さを短くすることができる。
【００９８】
加えて、車幅方向内側の端部における車両前後方向の長さを長く確保し易いため、後方突起部６２２は、例えば、車幅方向に長い略線状の後方突起部に比べて、車幅方向内側の端部における車両前後方向の剛性を容易に向上することができる。
【００９９】
これにより、車両の後部車体構造は、車両前方上方への引張荷重がベルト連結部２３２に作用した際、ベルトアンカ２３による押圧、特に延設部２３３の先端による押圧によって後方突起部６２２が変形することを防止できる。
【０１００】
従って、車両の後部車体構造は、平面視略三角形状の延設部２３３と、平面視略三角形状の後方突起部６２２とにより、ベルトアンカ２３及び後方突起部６２２の小型化を図るとともに、ベルトアンカ２３の回動をより確実に規制することができる。
【０１０１】
また、ベルトアンカ２３よりも車両前方側に位置する前方突起部６２１を傾斜部分６２ｂに備えたことにより、車両の後部車体構造は、傾斜部分６２ｂに締結する際のベルトアンカ２３のつれ回り防止と、ベルト本体２２を介した引張荷重によるベルトアンカ２３の回動規制とを両立して達成することができる。
【０１０２】
具体的には、ベルトアンカ２３よりも車両前方側に突設したことで、前方突起部６２１は、ボルト２６を回転中心とした平面視時計回り方向へのベルトアンカ２３の回動を規制することができる。
【０１０３】
このため、ボルト２６を締め付けた際、車両の後部車体構造は、ボルト２６の締付けに伴うベルトアンカ２３のつれ回りを、前方突起部６２１によって防止することができる。この際、ベルトアンカ２３に加わる荷重は、衝突物に車両が衝突した際にベルトアンカ２３に加わる荷重に比べて大幅に小さい荷重となる。
【０１０４】
ゆえに、車両の後部車体構造は、車両前後方向の長さを抑制した形状で、前方突起部６２１を構成することができる。これにより、車両の後部車体構造は、車両前後方向において、ベルトアンカ２３、後方突起部６２２、及び前方突起部６２１が占める長さを抑制することができる。
【０１０５】
加えて、固定されたベルトアンカ２３に対して、後方突起部６２２、及び前方突起部６２１が近接するため、後方突起部６２２、及び前方突起部６２１は、フロアサイドパネル６２に対するベルト本体２２の位置決め手段として機能することができる。
【０１０６】
従って、車両の後部車体構造は、前方突起部６２１によって、傾斜部分６２ｂに締結する際のベルトアンカ２３のつれ回り防止と、ベルト本体２２を介した引張荷重によるベルトアンカ２３の回動規制とを両立して達成することができる。
【０１０７】
また、フロアサイドパネル６２の下面にレインフォースメント６４を備えたことにより、車両の後部車体構造は、傾斜部分６２ｂにおけるベルトアンカ２３の固定部２３１が当接する部分の剛性、及び後方突起部６２２の剛性を向上することができる。
【０１０８】
これにより、車両前方上方への引張荷重がベルト連結部２３２に作用した際、車両の後部車体構造は、ボルト２６を介した引張荷重による傾斜部分６２ｂの変形を防止するとともに、延設部２３３の押圧によって後方突起部６２２が変形することを防止できる。
【０１０９】
また、前方突起部６２１よりも車幅方向内側で、かつ後方突起部６２２における車幅方向内側の端部よりも車両前方側の位置の溶着箇所Ｗ４で、フロアサイドパネル６２にレインフォースメント６４を接合したことにより、車両の後部車体構造は、前方突起部６２１における変形の抑制と、レインフォースメント６４への荷重伝達とを両立することができる。
【０１１０】
詳述すると、ベルト連結部２３２に加わった車両前方上方への引張荷重によって、延設部２３３が後方突起部６２２を車両後方上方側へ押圧した場合、後方突起部６２２における車幅方向内側の端部よりも車両前方の傾斜部分６２ｂには、車両後方上方側への引張荷重が作用することになる。
【０１１１】
この際、車両の後部車体構造は、溶着箇所Ｗ４を介して、車両後方上方側への引張荷重をレインフォースメント６４に伝達することができる。これにより、車両の後部車体構造は、前方突起部６２１における車幅方向内側の端部近傍に、延設部２３３が後方突起部６２２を押圧する荷重が伝達することを防止できる。このため、車両の後部車体構造は、ベルト連結部２３２に加わった車両前方上方への引張荷重によって、前方突起部６２１が変形することを防止できる。
【０１１２】
この発明の構成と、上述の実施形態との対応において、
この発明のフロア部材は、実施形態のフロアサイドパネル６２の傾斜部分６２ｂに対応し、
以下同様に、
座席は、後部座席１０に対応し、
シートベルトは、シートベルト機構２０に対応し、
所定の締結部材は、ボルト２６に対応し、
座席の座面部は、後部座席１０の座面部１１に対応し、
延設部の後端は、延設部２３３における車両後方側の縁部に対応し、
ベルトアンカの前端は、固定部２３１、及び延設部２３３における車両前方側の縁部に対応するが、
この発明は、上述の実施形態の構成のみに限定されるものではなく、多くの実施の形態を得ることができる。
【０１１３】
例えば、上述した実施形態において、傾斜部分６２ｂに対して、ベルトアンカ２３の固定部２３１を、ボルト２６を用いて締結固定する構成としたが、これに限定せず、傾斜部分６２ｂにスタッドボルトを設けるとともに、スタッドボルトに螺合するナットを用いて、ベルトアンカ２３の固定部２３１を締結固定する構成としてもよい。
【０１１４】
また、平面視において、ボルト挿通孔２３１ａの中心から延設部２３３の先端近傍までの間隔と、ベルト連結部２３２とベルト本体２２との接触箇所からボルト挿通孔２３１ａの中心までの間隔とが、略同等の間隔となるベルトアンカ２３としたが、これに限定せず、ベルト連結部２３２とベルト本体２２との接触箇所からボルト挿通孔２３１ａの中心までの間隔に対して、ボルト挿通孔２３１ａの中心から延設部２３３の先端近傍までの間隔が長いベルトアンカ２３としてもよい。
【０１１５】
これにより、車両前方上方への引張荷重がベルト連結部２３２に加わった際、梃子の原理により、ベルト連結部２３２に加わる引張荷重に対して、延設部２３３が後方突起部６２２を押圧する荷重を小さくすることができる。このため、車両の後部車体構造は、後方突起部６２２が変形することをより確実に防止でき、ベルトアンカ２３の回動をより安定して規制することができる。
【０１１６】
また、ベルトアンカ２３を車幅方向内側に頂部を有する平面視略三角形状としたが、これに限定せず、ベルトアンカ２３を車幅方向内側が短辺の平面視略台形状としてもよい。  
また、後方突起部６２２を車幅方向外側に頂部を有する平面視略三角形状としたが、これに限定せず、後方突起部６２２を車幅方向外側が短辺の平面視略台形状としてもよい。
【０１１７】
もしくは、車幅方向内側に頂部を有する平面視略三角形状のベルトアンカ２３と、車幅方向外側が短辺の平面視略台形状の後方突起部６２２としてもよい。あるいは、車幅方向内側が短辺の平面視略台形状のベルトアンカ２３と、車幅方向外側に頂部を有する平面視略三角形状の後方突起部６２２としてもよい。
【０１１８】
また、後方突起部６２２と対向する部分に凹部６４ａを有するレインフォースメント６４としたが、これに限定せず、車両前後方向に沿った断面において、後方突起部６２２とで閉断面形状を形成する形状であれば、後方突起部６２２と対向する部分が略平板状であってもよい。
【符号の説明】
【０１１９】
１…車両後部
１０…後部座席
１１…座面部
２０…シートベルト機構
２２…ベルト本体
２３…ベルトアンカ
２６…ボルト
６２…フロアサイドパネル
６２ｂ…傾斜部分
２３１…固定部
２３２…ベルト連結部
２３３…延設部
６２１…前方突起部
６２２…後方突起部
Ｓ１…車室
【図１】
0006350463.tif 000002
【図２】
0006350463.tif 000003
【図３】
0006350463.tif 000004
【図４】
0006350463.tif 000005
【図５】
0006350463.tif 000006
【図６】
0006350463.tif 000007
【図７】
0006350463.tif 000008
【図８】
0006350463.tif 000009